(57)【要約】【課題】消費電力の抑制を可能とした表示制御を行う携帯端末装置を実現する。【解決手段】基地局を介して通信網と通信可能な通信部と、充電可能な二次電池と、前記二次電池から供給される電力によって動作される表示部と、前記通信部により受信された受信情報に基づく画像を前記表示部に表示する表示制御部と、を備え、前記表示制御部は、前記受信情報に基づく画像の種別を識別する画像識別部を備え、前記画像識別部により識別された前記画像の種別に応じて、前記表示部の画像表示を制御することを特徴とする。【選択図】  図２
2010056851.tif 000002
【特許請求の範囲】
【請求項１】
基地局を介して通信網と通信可能な通信部と、
充電可能な二次電池と、
前記二次電池から供給される電力によって動作される表示部と、
前記通信部により受信された受信情報に基づく画像を前記表示部に表示する表示制御部と、を備え、
前記表示制御部は、前記受信情報に基づく画像の種別を識別する画像識別部を備え、前記画像識別部により識別された前記画像の種別に応じて、前記表示部の画像表示を制御する
ことを特徴とする携帯端末装置。
【請求項２】
前記通信部は、放送局から放送される番組情報を受信可能であり、
前記画像識別部は、前記通信部にて受信された前記番組情報の種別を識別し、
前記表示制御部は、前記画像識別部にて識別された前記番組情報の種別に応じて前記表示部の画像表示を制御する
ことを特徴とする請求項１に記載の携帯端末装置。
【請求項３】
前記通信部は、前記番組情報とともに送信される番組識別情報を受信し、
前記画像識別部は、前記通信部にて受信された前記番組識別情報に基づき前記番組情報の種別を識別する
ことを特徴とする請求項２に記載の携帯端末装置。
【請求項４】
前記表示制御部は、前記画像識別部により識別された前記画像の種別に応じて前記表示部の表示領域を変更する
ことを特徴とする請求項１乃至４のいずれか１項に記載の携帯端末装置。
【請求項５】
前記表示制御部は、前記画像識別部により識別された前記画像の種別に応じて前記表示部の表示輝度を変更する
ことを特徴とする請求項１乃至３のいずれか１項に記載の携帯端末装置。
【請求項６】
前記二次電池の充電残量を検知する充電残量検知部を備え、
前記表示制御部は、前記画像識別部により識別された前記画像の種別及び前記充電残量検知部にて検知された前記充電残量に応じて前記表示部の画像表示を制御する
ことを特徴とする請求項１乃至５のいずれか１項に記載の携帯端末装置。
【請求項７】
前記通信部により受信された受信情報に基づく画像の表示時間を算出する表示時間算出部を備え、
前記表示制御部は、前記画像識別部により識別された前記画像の種別及び前記表示時間算出部にて算出された前記表示時間に応じて前記表示部の画像表示を制御する
ことを特徴とする請求項１乃至６のいずれか１項に記載の携帯端末装置。
【発明の詳細な説明】
【技術分野】
【０００１】
本発明は、携帯電話機等の通信機能により受信された受信情報に基づき画像を表示する携帯端末装置に関する。
【背景技術】
【０００２】
近年、携帯電話機に代表される携帯端末装置は著しい技術革新を遂げており、インターネットを介したデータ通信を行うことができるのはもちろんのこと、テレビジョン放送の受信チューナを内蔵したものもある。
【０００３】
携帯端末装置でインターネットを介したデータ通信を行う場合や、テレビジョン放送を受信する場合は、携帯端末装置が受信した画像データに基づく画像を液晶表示デバイス（ＬＣＤ：Ｌｉｑｕｉｄ Ｃｒｙｓｔａｌ Ｄｉｓｐｌａｙ）などの表示部に表示できるようなっている。また、携帯端末装置では、内蔵されて充電可能なバッテリー（二次電池）からの電力供給により各デバイスが動作される構成となっており、携帯端末装置の長時間使用を可能とするために、消費電力を抑制することが課題となっている。
【０００４】
そのため、特許文献１に記載された携帯端末装置では、受信したマルチメディアコンテンツの再生時に、当該コンテンツを再生するのに必要な電池容量を予測し、予測された電池容量と検出される電池残量とに応じて、画像表示領域を変更する構成が記載されている。
【特許文献１】特開２００２−７７３７７号公報
【発明の開示】
【発明が解決しようとする課題】
【０００５】
上述の先行技術では、マルチメディアコンテンツの再生に必要な予測電池容量に応じて、動画像のフレーム数、ビットレート、画像サイズを変更することにより、消費電力を抑制する構成であるが、再生に必要な電池容量に応じた制御であって、再生されるコンテンツの種別に関係なく画像表示を変更する構成であるため、画像表示される情報に適さない制御が行なわれて、携帯端末装置のユーザーに違和感を与える虞があった。
【０００６】
本発明は、上記従来の課題に鑑みなされたものであり、表示される受信情報に適した画像表示を行なう携帯端末装置を提供することにある。
【課題を解決するための手段】
【０００７】
この発明は、基地局を介して通信網と通信可能な通信部と、充電可能な二次電池と、前記二次電池から供給される電力によって動作される表示部と、前記通信部により受信された受信情報に基づく画像を前記表示部に表示する表示制御部と、を備え、前記表示制御部は、前記受信情報に基づく画像の種別を識別する画像識別部を備え、前記画像識別部により識別された前記画像の種別に応じて、前記表示部の画像表示を制御することを特徴とする。
【発明の効果】
【０００８】
この発明の携帯端末装置にあっては、表示される受信情報に基づく画像の種別に応じて画像表示を制御することで、表示画像に適した表示が行なわれて、当該画像表示に伴う消費電力を抑制することができる。
【発明を実施するための最良の形態】
【０００９】
以下、本発明の実施形態について説明する。図１は、本発明に係る携帯端末装置の一例である携帯電話装置１の外観斜視図を示す。なお、図１は、いわゆる折り畳み型の携帯電話装置の形態を示しているが、本発明に係る携帯端末装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とがひとつの筐体に配置され、連結部を有さない形式（ストレートタイプ）でも良い。
【００１０】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５と、から構成されている。
【００１１】
また、表示部側筐体部３は、表面部２０に、各種情報を表示するための有機ＥＬ（Ｅｌｅｃｔｏｒｏ  Ｌｕｍｉｎｅｓｃｅｎｃｅ）表示部２１と、通話の相手側の音声を出力するスピーカ２２と、を備えて構成されている。
【００１２】
ここで、有機ＥＬ表示部２１の構成について説明する。有機ＥＬは、自発光型の表示デバイスであり、ガラス基板上にＩＴＯ（Ｉｎｄｉｕｍ  Ｔｉｎ  Ｏｘｉｄｅ）からなるアノード電極を形成し、その上に、ホール輸送層、発光層、電子輸送層からなる有機層と、金属電極からなるカソード電極が形成されている。
【００１３】
ここで、有機ＥＬ表示部２１では、有機層に印加する電流量により輝度値を制御している。また、有機ＥＬ表示部２１では、発光層を発光させない、すなわち有機層に電流を印加しないことにより黒色表示を行っているので、発光していない部分は完全に黒状態となりコントラストが非常に高いと言う特徴を有している。
【００１４】
また、操作部側筐体部２の上端部と表示部側筐体部３の下端部とは、ヒンジ機構４を介して連結されている。さらに、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００１５】
次に、図２は、携帯電話装置１の機能を示す機能ブロック図である。携帯電話装置１は、図２に示すように、操作部１１と、マイク１２と、メインアンテナ４０と、ＲＦ回路部４１と、有機ＥＬ制御部４２と、音声処理部４３と、メモリ４４と、電源回路部４５と、充電池４６と、ＣＰＵ４７とが操作部側に備えられ、有機ＥＬ表示部２１と、スピーカ２２と、ドライバＩＣ２３とが表示部側に備えられている。
【００１６】
メインアンテナ４０は、所定の使用周波数帯（例えば、８００ＭＨｚ）で外部装置と通信を行う。なお、本実施の形態では、所定の使用周波数帯として、８００ＭＨｚとしたが、これ以外の周波数帯であっても良い。また、メインアンテナ４０は、所定の使用周波数帯の他に、他の使用周波数帯（例えば、２ＧＨｚ）に対応できる、いわゆるデュアルバンド対応型による構成であっても良い。
【００１７】
ＲＦ回路部４１は、メインアンテナ４０によって受信した信号を復調処理し、処理後の信号をＣＰＵ４７に供給し、また、ＣＰＵ４７から供給された信号を変調処理し、メインアンテナ４０を介して外部装置（基地局）に送信する。
【００１８】
有機ＥＬ制御部４２は、ＣＰＵ４７の制御にしたがって、所定の画像処理を行い、処理後の画像データをドライバＩＣ２３に出力する。ドライバＩＣ２３は、有機ＥＬ制御部４２から供給された画像データをフレームメモリに蓄え、所定のタイミングで有機ＥＬ表示部２１に出力する。
【００１９】
音声処理部４３は、ＣＰＵ４７の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２０】
また、音声処理部４３は、ＣＰＵ４７の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２１】
メモリ４４は、例えば、ワーキングメモリであって、ＣＰＵ４７による演算処理に利用される。電源回路部４５は、充電池４６から供給される電源電圧を所定の電源電圧に変換し、変換後の電源電圧を有機ＥＬ表示部２１等に供給する。
【００２２】
ＣＰＵ４７は、携帯電話装置１の全体を制御しており、特に、ＲＦ回路部４１、有機ＥＬ制御部４２及び音声処理部４３に対して所定の制御を行う。
図１に示した携帯電話装置におけるＲＦ回路部４１は、チューナ部と、復調部と、音声デコーダ部と、映像デコーダ部と、データ放送デコーダ部と、を有している。チューナ部は、アンテナ４０で受信した電波に含まれる信号成分のうち、所定周波数成分に同調し、デジタル放送の受信信号を生成する。そして、この受信信号に増幅、検波、周波数変換などの信号処理を行い、デジタル信号に変換して出力する。
【００２３】
復調部は、チューナ部から出力される受信信号に所定の復調処理を行い、ＭＰＥＧのトランスポート・ストリームを生成する。そして、トランスポート・ストリーム内のパケットＩＤに従って音声パケット、映像パケット、データ放送パケットをそれぞれ分離して出力する。音声デコーダ部は、復調部において分離された音声パケットを入力し、所定の複号化処理を行う。
【００２４】
映像デコーダ部は、復調部において分離された映像パケットを入力し、所定の複号化処理を行う。データ放送デコーダ部は、復調部において分離されたデータ放送パケットを入力し、所定の複号化処理を行う。
【００２５】
ＣＰＵ４７は、映像デコーダ部において復号化されたテレビジョンジョン放送の映像データと、データ放送デコーダ部において復号化されたデータ放送のデータを合成し、有機ＥＬ表示部２１の画面に表示するデータを生成する画像生成部を有する。画像生成部は、生成した画像データを有機ＥＬ制御部４２に送出し、有機ＥＬ制御部４２は、入力された画像データに応じた画像が有機ＥＬ表示部２１に表示されるようにドライバＩＣ２３を駆動する。
【００２６】
音声デコーダ部において復号化された音声データは音声処理部４３に出力され、音声処理部４３は、入力された音声データに基づき出力音声信号を生成し、出力音声信号をスピーカ２２に出力する。スピーカ２２は、入力される出力音声信号に基づき音声を出力する。
【００２７】
また、操作部側筐体部２の内部には、充電可能な二次電池としてのバッテリ（充電池）４６が収納されており、携帯電話装置１における有機ＥＬ表示部２１などの各デバイスにバッテリに蓄積されている電力が供給され、各デバイスはバッテリ４６から供給される電力によって動作される。ＣＰＵ４７は、電源回路４５を介して、バッテリ４６の電池電圧を検出して、この検出される電池電圧に基づきバッテリ４６の充電残量を検知する充電残量検知部を備えており、検知される充電残量に応じて各種処理を制御している。
【００２８】
次に、携帯電話装置１での具体的な動作について説明する。
【００２９】
着信などの待受け状態において、ユーザの指示を入力するための操作部１１のいずれかのキーに割り当てられた番組起動ボタンが操作されたことがＣＰＵ４７にて検出されると、ＣＰＵ４７は、通信網及び基地局を介して放送局から放送配信されるテレビジョン放送やデータ放送を受信するためにＲＦ回路部４１内のチューナ部を起動する。チューナ部の起動後は、テレビジョンジョン放送やデータ放送の電波をアンテナ４０で受信し、これらの放送の受信信号をチューナ部が同調し、デジタル信号を生成する。そして、復調部はデジタル信号を、音声パケット、映像パケット、データ放送パケットにそれぞれ分離し、これらのパケットを音声デコーダ部、映像デコーダ部、データ放送デコーダ部に送る。音声パケット、映像パケット、データ放送パケットについては、音声デコーダ部、映像デコーダ部、データ放送デコーダ部が復号化処理を行い、音声データや映像のデータが生成される。
【００３０】
ここで、テレビジョンジョン放送やデータ放送が現在放送されている状態で、生成された映像データを画面生成部が有機ＥＬ表示部２１の画面に表示するデータを生成して、この生成されたデータに基づき有機ＥＬ表示部２１で映像が表示され、音声デコーダ部が生成した音声データに基づいてスピーカ２２で音声が出力されることにより、生の状態で視聴することも可能である。一方で、テレビジョンジョン放送やデータ放送を生で視聴できず、後刻に視聴する場合は、テレビジョンジョン放送やデータ放送の画像データをメモリ４４に保存させておくことも可能である。
【００３１】
ＣＰＵ４７は、テレビジョン放送やデータ放送が受信されて、受信された放送番組の映像が有機ＥＬ表示部２１に表示される際に、表示される映像（画像）の種別を判別する画像識別部を有し、この画像識別部にて識別された表示映像（放送番組）の種別に応じて、有機ＥＬ表示部２１での映像表示を制御する。具体的には、ＣＰＵ４７は、識別される放送番組の番組種別に基づき、図３に示されるテーブルを参照して、有機ＥＬ表示部２１の画面サイズ、カラー度合い、輝度を変更して、有機ＥＬ表示部２１での映像表示を制御する。また、ＣＰＵ４７は、この表示制御と共に識別された表示映像（放送番組）の種別に応じて音声出力の制御も行う。
【００３２】
また、ＲＦ回路部４１は、アンテナ４０を介して受信された放送番組の画像データと共に放送局から配信される番組情報データを受信し、ＣＰＵ４７の画像識別部は、この受信された番組情報データに含まれる番組ジャンル情報（番組識別情報）に基づき表示映像（放送番組）の種別を識別する。この番組識別データに含まれる番組ジャンル情報は、放送番組のジャンルを示す情報であり、このジャンル情報に基づき各放送番組は、「ニュース」、「スポーツ」、「動画」、「音楽」の各ジャンル（大分類）に区分される。受信された番組識別データにこの４つのジャンル情報が含まれない場合、画像識別部は、放送番組のジャンルを「その他」と識別する。なお、番組ジャンル情報には、大分類のジャンルの内訳を示す中分類の情報が含まれている。たとえば、大分類「ニュース」は、「総合」、「天気」、「政治／経済」、「スポーツ」の中分類に区分され、それ以外は「その他」として区分される。同様に、大分類「スポーツ」は、「野球」、「サッカー」、「ゴルフ」の中分類に区分され、それ以外は「その他」として区分され、大分類「動画」は、「ドラマ」、「映画」、「アニメ」の中分類に区分される。
【００３３】
なお、ＣＰＵ（画像識別部）４７での表示映像（放送番組）の種別の識別については、上述した構成に限定されるものではない。例えば、放送開始時間、放送終了時間、放送局（チャンネル）、番組名、番組ジャンル情報を含む番組一覧に関するデータを通信網及び基地局を介して受信して、この受信された番組一覧をメモリ４４に記憶させている場合、有機ＥＬ表示部２１に放送番組を表示させる際に、この放送番組の放送開始時間／放送終了時間と現在時刻との対比により表示される放送番組を記憶されている番組一覧から特定し、特定された放送番組に関する番組ジャンル情報を番組一覧データから取得し、この取得された番組ジャンル情報に応じて表示映像（放送番組）の種別を識別するように構成してもよい。或いは、表示される放送番組の画像データと音声データとの少なくとも一方を分析して番組ジャンルを判別し、この判別された番組ジャンルに基づき表示映像（放送番組）の種別を識別するように構成してもよく、それ以外の構成により表示映像（放送番組）の種別を識別するようにしてもよい。
【００３４】
そして、ＣＰＵ４７は、画像識別部にて識別された表示映像（放送番組）の種別に応じて、図３に示されるテーブルを参照して、放送番組の映像表示を制御する。
【００３５】
次に、携帯電話装置１の放送番組の表示時における処理について、図４に示されるフローチャートを用いて説明する。
【００３６】
先ず、ユーザにより番組起動ボタンが操作されて、テレビジョン放送やデータ放送の放送番組の受信が開始されると、フローチャートに示される処理が開始され、ステップＳ１にて、上述した方式により、表示映像（放送番組）の種別（ジャンル）を検出して識別する。次に、ステップＳ１にて識別された種別（ジャンル）が図３に示されるテーブルに設定されているかを判定する。ステップＳ２にて、識別された種別がテーブルに設定されていると判定されるとステップＳ３に進み、識別された種別がテーブルに設定されている種別ではないと判定去されると、ステップＳ４に進む。
【００３７】
ステップＳ３では、図３のテーブルに基づき、ステップＳ１で識別された表示映像（放送番組）の種別（ジャンル）に対応する表示処理及び音声出力処理が設定され、設定された表示処理及び音声処理に基づき表示制御及び音声出力制御が行なわれる。
【００３８】
ステップＳ４では、表示映像（放送番組）の種別（ジャンル）がテーブルに設定されている特定の種別（ジャンル）ではないため、通常の表示制御及び音声出力制御が行なわれる。
【００３９】
ステップＳ３及びステップＳ４での表示制御及び音声出力制御が行なわれると、ステップＳ５に進み、ユーザにより番組終了ボタンが操作されるなどにより、放送番組の受信が終了されたか否かを判定する。このステップＳ５で、番組受信が終了していないと判定されると、ステップＳ１に戻り、上述したステップＳ１からステップＳ５の処理を繰り返し、ステップＳ５にて番組受信が終了したと判定すると、テレビジョン放送やデータ放送の受信及び報知に関するアプリケーションが終了して、待受け状態となる。
【００４０】
上述した本実施形態の携帯電話装置１によれば、テレビジョン放送やデータ放送の放送番組の受信に伴い有機ＥＬ表示部２１に表示される表示映像（放送番組）の種別（ジャンル）に応じて、画像表示及び音声出力を制御することにより、表示映像（放送番組）の種別（ジャンル）に応じた表示が行なわれて、携帯電話装置１のユーザに違和感を与えることなく好適に画像表示及び音声出力が行われて、表示部２１の動作によって消費される電力を抑制することができる。
【００４１】
具体的には、図３のテーブルに設定されているように、表示映像（放送番組）の種別（ジャンル）が「ニュース」であるときには、比較的に映像の表示が重要視されないと判定して、画像の表示サイズを中レベルに設定して、「カラー度合い」は白黒表示に設定され、「輝度」は中レベルに設定され、「音声」は中レベルに設定されて、各設定状態に応じて動作処理が行なわれる。有機ＥＬ表示部２１は、多数の発光素子を有して構成され、画像の表示サイズ、カラー度合い、輝度を任意に変更することが可能である。よって、番組種別が「ニュース」である場合には、表示サイズを中レベルとして表示領域を狭めて、発光素子の動作比率（発光比率）を小さくすることにより、有機ＥＬ表示部２１の表示（発光素子の発光）による消費電力を低減させることができ、消費電力を抑制することができる。また、有機ＥＬ表示部２１の各発光素子による表示を白黒表示とするとともに、各発光素子の輝度を中レベルに低下して設定されて表示領域が縮小されるため、有機ＥＬ表示部２１での消費電力をより抑制させることができる。音声について、表示映像（放送番組）の種別（ジャンル）が「ニュース」であるときには通常の出力で十分認識できるため、音声出力を中レベルに設定して音声出力制御することにより、この音声出力に伴う消費電力を低減させることができる。なお、表示サイズが中レベルとなり表示領域が縮小される場合には、表示領域の一部のみで画像表示が行なわれることとなるが、このときに有機ＥＬ表示部２１の発光素子の劣化を抑制するために、縮小される表示領域を全表示領域の中で順次変更させるようにするのが好ましい。
【００４２】
なお、表示映像（放送番組）の種別（ジャンル）が「ニュース」であっても、中分類が「スポーツニュース」であると識別された場合には、ニュース番組の中でも映像を重視する画像であると判断されて、「カラー度合い」がフルカラーに設定されて、「輝度」及び「音声」が大レベルに設定されることにより、ユーザの好みに沿った映像表示及び音声出力を行われて、ユーザに与える違和感を軽減させることが出来る。
【００４３】
また、表示映像（放送番組）の種別（ジャンル）が「スポーツ」であるときには、「ニュース」のジャンルに比較して映像の表示が重要視されるとともに音声出力が重要視されると判定して、「カラー度合い」がフルカラー表示に設定され、「音声」は大レベルに設定される。このように設定されることにより、スポーツジャンルの放送を受信しているときには、画像の視認性及び音声の認識性を高めることができる。種別（ジャンル）が「スポーツ」である場合であっても、画像の「表示サイズ」が中レベルと設定されて表示領域が縮小されるので、消費電力が抑制されることとなる。なお、画像の表示サイズなどは、受信されて画像が表示されている「スポーツ」ジャンルの放送番組の状況に応じて変更されるようにしてもよい。例えば、「スポーツ」ジャンルの放送番組にて放送されている野球やサッカーの試合などで、得点に絡むシーンとなると、観客や実況者の音声が比較的大きくなるため、放送番組の音声レベルを検出して、検出された音声レベルが大となったと判定されると、試合が得点に絡むシーンとなったと予測して、画面の表示サイズを中レベルから大レベルに変更するなどして画像の視認性を向上させるようにしてもよい。
【００４４】
また、表示映像（放送番組）の種別（ジャンル）が「動画」であるときには、「ニュース」及び「スポーツ」のジャンルに比較して映像の表示がより重要視されると判定して、「画面の表示サイズ」が大レベルに設定されて、有機ＥＬ表示部２１の画面全体で放送番組の画像が表示されることとなる。また、「カラー度合い」がフルカラー表示に設定され、「輝度」が大レベルに設定され、「音声」は大レベルに設定される。このような設定に基づき表示制御及び音声出力制御が行なわれるため、ユーザの視認性及び音声認識性をより高めた状態で受信された放送番組を表示することが出来る。
【００４５】
また、表示映像（放送番組）の種別（ジャンル）が「音楽」であるときには、「ニュース」、「スポーツ」及び「動画」のジャンルに比較して映像の表示が重要視されずに音声出力が最も重要視されると判定して、「画面の表示サイズ」が小レベルに設定されて、有機ＥＬ表示部２１の表示領域が中レベルでの表示領域よりも縮小されて画像が表示される。また、「カラー度合い」が白黒に設定され、「輝度」が小レベルに設定され、「音声」は大レベルに設定される。このように、「画面の表示サイズ」が小レベルに設定され、「カラー度合い」が白黒に設定され、「輝度」が小レベルに設定されることにより、有機ＥＬ表示部２１での画像表示に伴う消費電力を最小限に抑えることが出来る。また、「音声」は大レベルに設定されるので、ユーザの音声認識性をより高めた状態で受信された放送番組を視聴することが出来る。なお、種別（ジャンル）が「音楽」であるときには、有機ＥＬ表示部２１での画像表示を停止すべく全発光素子を消灯させるように制御すれば、より消費電力の抑制を図ることが出来る。
【００４６】
なお、表示映像（放送番組）の種別（ジャンル）が図３のテーブルに設定されている種別（ジャンル）に該当しない場合（ステップＳ２の判定がＮｏの場合）には、「画面の表示サイズ」が中レベルに設定されて、「カラー度合い」がフルカラーに設定され、「輝度」が中レベルに設定され、「音声」は中レベルに設定されて、各設定に応じた表示制御及び音出力制御が行なわれる。
【００４７】
以上のように、識別される表示映像（放送番組）の種別（ジャンル）に応じて、有機ＥＬ表示部２１の画像表示サイズ、カラー表示度合い、輝度が変更されることとなり、表示画像の視認性を放送番組のジャンルに応じて確保した上で画像表示に伴う消費電力を抑制することができ、バッテリ４６の長持ちを図ることが出来、番組放送の長時間の視聴を可能とすることが出来る。
【００４８】
なお、本発明は、上述した実施形態の構成に限定されるものではなく、本発明の趣旨を逸脱しない範囲で構成されればよい。
【００４９】
上述した実施形態では、識別された表示映像（放送番組）の種別（ジャンル）のみにより有機ＥＬ表示部２１の画像表示を制御する構成としたが、その他のパラメータを加味して表示制御するようにしてもよい。
【００５０】
例えば、ＣＰＵ４７の充電残量検知部にて検知されるバッテリ４６の充電残量も考慮して表示制御を行なうようにしても良い。この場合、識別された表示映像（放送番組）の種別（ジャンル）が「動画」であっても、充電残量が所定値以下の少ない状態である場合には、長時間の視聴を可能とすべく消費電力を抑制する必要があるため、画像の表示サイズやカラー度合いや輝度のレベルの少なくとも１つを図３に示されるテーブルで設定されているレベルよりも低下させるようにすればよい。反対に、識別された表示映像（放送番組）の種別（ジャンル）が「ニュース」であるとき、充電残量が満充電状態に近い状態を示す場合には、長時間の視聴が十分可能と判断して、表示画像の視認性を高めるために、画像の表示サイズやカラー度合いや輝度のレベルの１つを図３に示されるテーブルで設定されているレベルよりも高く設定するようにしてもよい。
【００５１】
また、バッテリ４６の充電残量以外に、表示映像（放送番組）の表示時間も考慮して表示制御を行なうようにしても良い。この表示時間とは、例えばテレビジョン放送の番組放送開始から番組放送終了までの放送時間やコンテンツ放送のコンテンツ再生時間などである。これら表示時間（放送時間、再生時間）は、アンテナ４０を介してＲＦ回路部４１で受信されて放送番組の画像データと共に放送局から配信される番組情報データに含まれる番組開始時間及び番組終了時間（または番組再生時間）の情報に基づき算出される。この場合、識別された表示映像（放送番組）の種別（ジャンル）が「動画」であっても、表示時間が所定時間以上の長時間番組であると判定されると、長時間の視聴を可能とすべく消費電力を抑制する必要があるため、画像の表示サイズやカラー度合いや輝度のレベルの少なくとも１つを図３に示されるテーブルで設定されているレベルよりも低下させるようにすればよい。反対に、識別された表示映像（放送番組）の種別（ジャンル）が「ニュース」であるとき、放送番組が短時間番組である場合には、当該放送番組の終了までの視聴が十分可能と判断して、表示画像の視認性を高めるために、画像の表示サイズやカラー度合いや輝度のレベルの１つを図３に示されるテーブルで設定されているレベルよりも高く設定するようにしてもよい。
【００５２】
また、上述した実施形態では、放送局からの放送番組について説明したが、放送番組以外の画像データを表示する場合にも、表示画像の種別に応じて表示部の画像表示を制御するようにしてもよい。
【００５３】
また、上述した実施形態では、表示部として有機ＥＬ表示部を用いた実施形態について説明したが、液晶表示デバイス（ＬＣＤ：Ｌｉｑｕｉｄ Ｃｒｙｓｔａｌ Ｄｉｓｐｌａｙ）などの表示部を用いた構成であってもよい。ＬＣＥの場合には、バックライトの点灯制御により視認性及び消費電力の抑制を向上させるようにすればよい。
【００５４】
また、携帯端末装置として折り畳み式の携帯電話装置１を用いて説明したが、折り畳み式以外の携帯電話装置であってもよく、ＰＤＡ（Ｐｅｒｓｏｎａｌ  Ｄｉｇｉｔａｌ  Ａｓｓｉｓｔａｎｔ）やノートパソコンなどの携帯端末装置等であっても良い。
【図面の簡単な説明】
【００５５】
【図１】本発明に係る携帯端末装置の外観を示す斜視図である。
【図２】本発明に係る携帯端末装置の機能を示すブロック図である。
【図３】本発明に係る携帯端末装置の処理に用いられる制御テーブルを示す図である。
【図４】本発明に係る携帯端末装置の実施形態の動作を示すフローチャートである。
【符号の説明】
【００５６】
１    携帯電話装置
１１  操作部
２１  有機ＥＬ表示部（表示部）
４７  ＣＰＵ（表示制御部）
【図１】
2010056851.tif 000003
【図２】
2010056851.tif 000004
【図３】
2010056851.tif 000005
【図４】
2010056851.tif 000006